(57)【要約】【課題】  撮像装置において、プリント配線板との接続に用いられる部品点数の削減、省スペースによる更なる小型化を図る。【解決手段】  音声信号を入力するためにコイルと接続したブラシバネを回転位置によって操作部の信号スイッチとして作用するようにブラシバネと接触するプリント配線板のパターンを設ける。【選択図】  図５
2009290693.tif 000002
【特許請求の範囲】
【請求項１】
回転操作部材と、該回転操作部材内に配置された電気素子とを有する携帯電子機器において、
回転操作部材が所定の中立位置にある際は、前記電気素子はプリント配線板と電気素子に固定されたブラシバネで接触し電気信号が入力されて電気素子として機能し、
回転操作部材が回転し動作後の位置にある際は該ブラシバネが操作部の信号スイッチとして作用する回転操作部を備えることを特徴とする携帯電子機器。
【請求項２】
回転操作部材と、該回転操作部材内に配置された音声出力部とを有する携帯電子機器において、
回転操作部材が所定の中立位置にある際は、前記音声出力部はプリント配線板と音声出力部に保持されたブラシバネで接触し音声信号が入力されて音声を出力し、
回転操作部材が回転し動作後の位置にある際は該ブラシバネが操作部の信号スイッチとして作用する回転操作部を備えることを特徴とする携帯電子機器。
【請求項３】
回転操作部材と、該回転操作部材内に配置された音声出力部とを有する携帯電子機器において、
音声出力部にプリント配線板と接触し音声信号が入力されるブラシバネと該プリント配線板と接触し操作部の信号スイッチとして作用するブラシバネの２つのブラシバネを保持させた音声出力部を備えることを特徴とする携帯電子機器。
【請求項４】
回転操作部材は撮影倍率を変更するためのズームレバーであることを特徴とする請求項１〜請求項３のいずれかに記載の撮像装置。
【請求項５】
外周にギヤＡ部が設けられた回転操作部材と、該ギヤＡ部にかみ合うギヤＢ部を外周に設けられた音声出力部とを有する携帯電子機器において、
回転操作部材が所定の中立位置にある際は、前記音声出力部はプリント配線板と音声出力部に保持されたブラシバネで接触し音声信号が入力されて音声を出力し、
回転操作部材が回転するとギヤによって音声出力部も回転すると共に、
動作後の位置にある際は該ブラシバネが操作部の信号スイッチとして作用する回転操作部を備えることを特徴とする携帯電子機器。
【発明の詳細な説明】
【技術分野】
【０００１】
本発明は、小型音声出力部と回転操作部材を用いる携帯電子機器、特に撮像装置の内部構造に関するものである。
【背景技術】
【０００２】
従来、撮像装置など音声を出力する機能を持つ装置において装置の小型化を目的として音声部と操作部の配置を考慮したもの（特許文献１）がある。
【特許文献１】特開2002-125144号公報
【発明の開示】
【発明が解決しようとする課題】
【０００３】
近年、携帯電子機器は持ち運びの際の利便性から小型化、薄型化している。これに伴ない磁石とコイルについた振動板を利用し空気振動を利用した音声出力部も小径の円形のものが一般的に用いられる。音声出力部への信号入力、つまり音声用ＩＣとの接続においては音声ＩＣの実装されたプリント配線板にリード線にて接続する方法もあるが、音声出力部にコイルを接続したブラシバネを固定し、このブラシスプリングを音声出力部とプリント配線板との間でチャージすることで信号を入力する方法も公知である。小径な円形の音声出力部は特許文献１のように回転操作部材内に配置することが可能である。しかしながら従来の音声出力部と操作部の各信号入力のための接続方法については更なる改善が可能であった。
【課題を解決するための手段】
【０００４】
本発明は上記の課題を解決するものであり、本発明に係る小型音声出力部と回転操作部材を用いる携帯電子機器、特に撮像装置の構造によれば音声信号を入力するためにコイルと接続したブラシバネを回転位置によって操作部の信号スイッチとして作用するようにブラシバネと接触するプリント配線板のパターンを設けることで、プリント配線板との接続に用いられる部品点数の削減、省スペースによる更なる小型化を提案することを目的とする。さらに小型音声出力部に限らず、電気素子においても同様の構成にすることで小型化の実現が可能となる。
【発明の効果】
【０００５】
請求項１に記載の発明は、回転操作部材と、該回転操作部材内に配置された電気素子とを有する携帯電子機器において、回転操作部材が所定の中立位置にある際は、前記電気素子はプリント配線板と電気素子に固定されたブラシバネで接触し電気信号が入力されて電気素子として機能し、回転操作部材が回転し動作後の位置にある際は該ブラシバネが操作部の信号スイッチとして作用することを特徴とする回転操作部の構造であり電気素子を操作部材内に配置することにより小型化の実現が可能である。
【０００６】
請求項２に記載の発明は、回転操作部材内に配置された音声出力部を有する携帯電子機器において、回転操作部材が所定の中立位置にある際は、前記音声出力部はプリント配線板と音声出力部に保持されたブラシバネで接触することで音声信号が入力されて音声を出力し、回転操作部材が回転動作後の位置にある際は、ブラシバネを操作部の信号スイッチとして作用するようプリント配線板の配線を行い、１つのブラシバネで音声信号入力と操作部の信号入力と兼用することでプリント配線板との接続に用いられる部品点数の削減と小型化が可能となる。
【０００７】
請求項３に記載の発明は、回転操作部材内に配置された音声出力部を有する携帯電子機器において、音声出力部にプリント配線板と接触し音声信号が入力されるブラシバネと該プリント配線板と接触し操作部の信号スイッチとして作用するブラシバネの各信号に対応するブラシバネを保持させ、音声出力部の投影内にてプリント配線板と接触することで、省スペースによる小型化が実現可能となる。
【０００８】
請求項１〜請求項３のいずれかに記載の発明は、撮像装置、例えばデジタルカメラなど小型音声出力部と回転操作部材を組み合わせることで内部構造の配置を効率的にすることが可能となる。
【０００９】
請求項４に記載の発明は、請求項１〜請求項３のいずれかに記載の発明において回転操作部材はカメラにおいて撮影倍率を変更するためのズームレバーとすることで、最も効率的に小型化可能な構造配置を実現できる。
【００１０】
請求項５に記載の発明は、外周にギヤＡ部が設けられた回転操作部材と、該ギヤＡ部にかみ合うギヤＢ部を外周に設けられた音声出力部とを有する携帯電子機器において、回転操作部材が回転するとギヤによって連動して音声出力部も回転し、回転操作部材が所定の中立位置にある際は、前記音声出力部はプリント配線板と音声出力部に保持されたブラシバネで接触し音声信号が入力されて音声を出力し、回転動作後の位置にある際は該ブラシバネを操作部の信号スイッチとして作用することを特徴とし、回転操作部材内にはことなるスイッチを配置することで操作性を考慮しつつ省スペース化が可能となる。
【００１１】
請求項６に記載の発明は、特に撮像装置において有効であり、例えば、回転操作部材の内側には撮影を許可するレリーズボタンを配置するといった操作性を考慮した形態と内部構造の省スペース化が可能となる。
【発明を実施するための最良の形態】
【００１２】
次に、本発明の詳細を実施例の記述に従って説明する。
【００１３】
以下、本発明に関する実施例について詳細に説明する。
【００１４】
図１は本発明に係る撮像装置の背面側の斜視図であり、外装１の背面にはＬＣＤ３が見えており、撮影時にはライブ画像が写しだされ、再生時には記録画像を表示する。外装１の背面にはメニューボタン７、セットボタン８、ディスプレイボタン９、十字キー１０といった操作部材が設けられている。これらの操作部材の下には不図示のプリント配線板に設けられたスイッチがあり、ＣＰＵに接続され、ＣＰＵにおいて各スイッチの状態を見ている。また、上面には撮影を許可するレリーズボタン５、撮影倍率を変更するズームレバー４がある。ズームレバー４のズームつまみ２は背面側に出っ張っており、撮影者が操作時にこのつまみ部を回転させることで撮影倍率を変える。ズームレバーの内側には音声通過孔が設けてあり、音声出力部からの音声が撮影者に聞こえる。
【００１５】
図２は本発明の第１の実施例におけるズームレバー部の構造を示す回転軸の延長方向への展開図であり、音声出力部となるスピーカー１１の中心がズームレバー４の中心と略同一になるよう配置される。スピーカー１１を内側に固定したズームレバー４は固定地板１３に取り付けられ、固定地板１３には摺動面１４が設けられている。摺動面１４の中央には回転軸用の穴が開けてある。軸には不図示の固定地板との固定用ビスが取り付けられる。スピーカー１１の下には同じ固定地板１３に保持されるプリント配線板１５があり、CPUや音声ICからの信号を配線している。プリント配線板１５には導体の露出部であるブラシパターン１６がある。固定地板１３に設けられた中立バネ保持ダボ１７に中立バネ１８が保持され、ズームレバー４は中立位置になるよう付勢されている。
【００１６】
図３は図２の固定地板側からみた展開図を示しており、ズームレバー４には位置決め溝２１がありスピーカー１１の外周部に設けられた位置決めリブ１２とにより回転位相を合わせるようになっている。スピーカー１１の中心軸に合わせて、回転軸１９がある。スピーカー１１にはスピーカーへの信号入力を行うスピーカーブラシバネ２０が取り付けられている。不図示のスピーカー内部のコイル部からの線はスピーカーブラシバネ２０に接続されており、所定の抵抗値を有している。
【００１７】
図４は第１の実施例におけるプリント配線板のパターン概念図を示しており、スピーカーブラシバネ２０に接触するブラシパターンがプリント配線板１５に設けられている。ズームレバーが中立位置にある時、スピーカーブラシバネはスピーカーパターンＡである２７とスピーカーパターンBである２８に接触し、音声ICからの信号で音声出力される。ズームレバー４が回転するとコモンパターン２２とズームテレパターン２３、つまりショート部矢印Ａの２４の間でスイッチがONしたことと等価になる。同じように回転方向が反対の場合はズームワイドパターン２６とコモンパターン２２がショートとなる。この結果カメラシステムのＣＰＵではカメラの撮影倍率を変更するよう制御する。撮像装置においてはズーム中に音声出力を行うことは無く、本発明における実施例としたが、例えば、モード切替のための操作部材と信号とであっても良い。
【００１８】
図５は本発明の第２の実施例におけるズームレバー部の構造を示す回転軸の延長方向への展開図であり、音声出力部となるスピーカー１１の中心がズームレバー４の中心と略同一になるよう配置される。ズームブラシバネ２９はスピーカー１１の底面に固定されている。スピーカー１１を内側に固定したズームレバー４は固定地板１３に取り付けられ、固定地板１３には摺動面１４が設けられている。摺動面１４の中央には回転軸用の穴が開けてある。スピーカー１１の下には同じ固定地板１３に保持されるプリント配線板１５があり、CPUや音声ICからの信号を配線している。プリント配線板１５には導体の露出部であるブラシパターン１６がある。固定地板１３に設けられた中立バネ保持ダボ１７に中立バネ１８が保持され、ズームレバー４は中立位置になるよう付勢されている。
【００１９】
図６は図５の固定地板側からみた展開図を示しており、ズームレバー４には位置決め溝２１がありスピーカー１１の外周部に設けられた位置決めリブ１２とにより回転位相を合わせるようになっている。スピーカー１１の中心軸に合わせて、回転軸１９がある。スピーカー１１にはスピーカーへの信号入力を行うスピーカーブラシバネ２０が取り付けられている。不図示のスピーカー内部のコイル部からの線はスピーカーブラシバネ２０に接続されており、所定の抵抗値を有している。スピーカーブラシバネ２０の内側にあるズームブラシバネ２９にはズームブラシ位置決め穴３１がありスピーカー１１の底面にはこの位置決め穴に対応するズームブラシ位置決めダボ３２が設けられており、熱カシメ等により固定されれば良い。
【００２０】
図７は第２の実施例におけるプリント配線板のパターン概念図を示しており、スピーカーブラシバネ２０に接触するブラシパターンがプリント配線板１５に設けられている。スピーカーブラシバネは回転した位置によらずスピーカーパターンＡである２７とスピーカーパターンBである２８に接触し、音声ICからの信号で音声出力される。ズームブラシ２９に接触するようにズームブラシパターンがあり、ズームレバー４が回転するとコモンパターン２２とズームテレパターン２３、つまりショート部矢印Ｂの３３の間でスイッチがONしたことと等価になる。同じように回転方向が反対の場合はズームワイドパターン２６とコモンパターン２２、つまりショート部矢印Ｃの３４の間でスイッチがONしたことと等価になる。この結果カメラシステムのＣＰＵではカメラの撮影倍率を変更するよう制御する。
【００２１】
図８は本発明の第３の実施例におけるズームレバー部の構造を示すものであり、ズームレバー４の内側にはレリーズボタン５が設けられている。ズームレバー側のズームレバーギヤ３６とスピーカー１１の外周に設けられたスピーカーギヤ３５が噛み合いズームレバー４の回転運動がスピーカー１１伝わる。
【００２２】
図９は図８の回転軸の延長方向への展開図であり、レリーズボタン５の下にはレリーズボタン５を付勢するレリーズバネ３９がある。ズームレバー４にはズームレバーギヤ３６を保持する為のズームレバーギヤホルダー３８が取り付けられている。レリーズボタン５はズームレバー４の回転軸に沿って上下に動作し、下側に押されると、プリント配線板１５に実装されたレリーズスイッチ３７を押す。
【００２３】
図１０は図９のプリント配線板１５の下側からみた展開図を示しており、スピーカー１１にはスピーカーへの信号入力を行うスピーカーブラシバネ２０が取り付けられている。不図示のスピーカー内部のコイル部からの線はスピーカーブラシバネ２０に接続されており、所定の抵抗値を有している。スピーカーブラシバネ２０の内側にあるズームブラシバネ２９にはズームブラシ位置決め穴３１がありスピーカー１１の底面にはこの位置決め穴に対応するズームブラシ位置決めダボ３２が設けられており、熱カシメ等により固定されれば良い。プリント配線板１５には、実施例２の図７に示されるブラシパターンが設けられている。これにより、ズームレバー４の回転運動はズームレバーギヤ３６とスピーカー１１の外周に設けられたスピーカーギヤ３５を介し、スピーカー１１に回転運動を与え、ブラシパターンによるズーム切り替えを行う。
【図面の簡単な説明】
【００２４】
【図１】本発明に係る撮像装置の背面側の斜視図。
【図２】本発明の第１の実施例におけるズームレバー部の構造を示す展開図。
【図３】図２の固定地板側からみた展開図。
【図４】第１の実施例におけるプリント配線板のパターン形状図。
【図５】本発明の第２の実施例におけるズームレバー部の構造を示す概念図。
【図６】図５の固定地板側からみた展開図。
【図７】第２の実施例におけるプリント配線板のパターン概念図。
【図８】本発明の第３の実施例におけるズームレバー部の構造。
【図９】図８の回転軸の延長方向への展開図。
【図１０】図９のプリント配線板１５の下側からみた展開図。
【符号の説明】
【００２５】
１  外装
２  ズームレバーつまみ
３  ＬＣＤ
４  ズームレバー
５  レリーズボタン
６  音声通過孔
７  メニューボタン
８  セットボタン
９  ディスプレイボタン
１０  十字キー
１１  スピーカー
１２  位置決めリブ
１３  固定地板
１４  摺動面
１５  プリント配線板
１６  ブラシパターン
１７  中立バネ保持ダボ
１８  中立バネ
１９  回転軸
２０  スピーカーブラシバネ
２１  位置決め溝
２２  コモンパターン
２３  ズームテレパターン
２４  ショート部矢印Ａ
２６  ズームワイドパターン
２７  スピーカーパターンＡ
２８  スピーカーパターンＢ
２９  ズームブラシバネ
３１  ズームブラシ位置決め穴
３２  ズームブラシ位置決めダボ
３３  ショート部矢印Ｂ
３４  ショート部矢印Ｃ
３５  スピーカーギヤ
３６  ズームレバーギヤ
３７  レリーズスイッチ
３８  ズームレバーギヤホルダー
３９  レリーズバネ
【図１】
2009290693.tif 000003
【図２】
2009290693.tif 000004
【図３】
2009290693.tif 000005
【図４】
2009290693.tif 000006
【図５】
2009290693.tif 000007
【図６】
2009290693.tif 000008
【図７】
2009290693.tif 000009
【図８】
2009290693.tif 000010
【図９】
2009290693.tif 000011
【図１０】
2009290693.tif 000012